(57)【特許請求の範囲】
【請求項１】
遠赤外線放射体に浄化対象液を接触させて、遠赤外線放射体から放射される遠赤外線により当該浄化対象液を改質し、浄化する液体の浄化方法において、遠赤外線放射体としてソフトセラミックス、又はそれとエンプロとの双方を使用し、ソフトセラミックスは苦土石灰、玄武岩、アルミニウムの微粉末を原料とし、それら原料に液体を加えて泥液体状とし、それに触媒としてＭｇ、Ｍｎ、Ａｌを添加して反応させ、それを乾燥させて微粉末状とし、それを固形化したものであり、エンプロはタンパク質に、少なくともＳｉＯ2、Ａｌ2Ｏ3、Ｆｅ2Ｏ3、Ｋ2Ｏ、及びＮａ2Ｏを含有する無機粉末を配合した混合物の加圧加熱成形体であることを特徴とする液体の浄化方法。
【請求項２】
遠赤外線放射体に浄化対象液を接触させて、遠赤外線放射体から放射される遠赤外線により当該浄化対象液を改質し、浄化する液体の浄化方法において、遠赤外線放射体としてソフトセラミックス、又はそれとエンプロとの双方を使用し、ソフトセラミックスは苦土石灰、玄武岩、アルミニウムの微粉末を原料とし、それら原料に液体を加えて泥液体状とし、それに触媒としてＭｇ、Ｍｎ、Ａｌを添加して反応させ、それを乾燥させて微粉末状とし、それを固形化したものであり、エンプロはタンパク質に、少なくともＳｉＯ2、Ａｌ2Ｏ3、Ｆｅ2Ｏ3、Ｋ2Ｏ、及びＮａ2Ｏを含有する無機粉末を配合し、これに適量の液体又はアルコール液体溶液を加えて混合し、この混合物を所定時間放置した後、必要に応じて粉砕し、次いで、加圧か加熱して成形した後に冷却し、その後に、ホルムアルデヒド液体溶液で処理してタンパク質分を硬化させた後、乾燥し、温液体処理してホルムアルデヒドを除去したものであることを特徴とする液体の浄化方法。
【請求項３】
請求項１又は請求項２記載の液体の浄化方法において、浄化対象液に遠赤外線放射体を浮遊させ、又は浄化対象液内に沈め、又は吊すことにより、遠赤外線放射体に浄化対象液を接触させ、遠赤外線放射体から放射される遠赤外線により当該浄化対象液を改質し、浄化することを特徴とする液体の浄化方法。
【請求項４】
請求項１乃至請求項３記載のいずれかに液体の浄化方法において、浄化対象液に遠赤外線放射体を浮遊させ、又は浄化対象液内に沈め、又は吊すことにより、遠赤外線放射体に浄化対象液を接触させ、且つその浄化対象液を対流させて遠赤外線放射体に浄化対象液を接触させ、遠赤外線放射体から放射される遠赤外線により当該浄化対象液を改質し、浄化することを特徴とする液体の浄化方法。
【請求項５】
請求項１乃至請求項４のいずれかに記載の液体の浄化方法において、浄化対象液域から一部の浄化対象液を取り出し、その浄化対象液を遠赤外線放射体に接触させ、遠赤外線放射体から放射される遠赤外線により改質し、その改質液を浄化対象液域の浄化対象液に戻して、浄化対象液域の浄化対象液を改質し、浄化することを特徴とする液体の浄化方法。
【請求項６】
請求項１乃至請求項５のいずれかに記載の液体の浄化方法において、浄化対象液を遠赤外線放射体により改質した改質液に重畳波を掛けることを特徴とする液体の浄化方法。
【発明の詳細な説明】
【０００１】
【発明の属する技術分野】
本発明は例えば、河川、湖沼、調整池、浄水場の貯水槽、養殖池、海面養殖地、アルコールタンク、調味液タンク、発酵食品タンクといった浄化対象液域の液体の浄化方法に関し、それら液体を遠赤外線放射体によって浄化する方法に関するものである。
【０００２】
【従来の技術】
従来、河川や、湖沼、調整池といった広範囲で且つ不定形な閉鎖型液域（沼、池、湾）とか、食品タンク等の中の液体は、物理的、化学的及び生物的浄化システムにより浄化されている。中小の液域内では大規模浄化システムによる全液量処理が実施されているが、この浄化方法では液体量が多い場合は部分処理が限界である。このような現況においてはより良い浄化方法の開発が望まれているが、工事中でも環境アセスメント面での悪影響が少なく、液体域を利用しながら改善でき、且つ生態系変化を考慮して緩慢変化にて自然の回復を図ることができ、しかも、経済的で、二次公害等の発生しない浄化方法は未だ開発されたとは聞いてはいない。自然の摂理に基づいて、環境保全を図りながら、経済的にも、社会が受け入れることのできる浄化方法は生物活用しかない。特に、生物活用のなかでも微生物の活性化が原点であると考えられる。生物活用として、接触濾材の利用、木炭等の天然素材の利用、漁礁や人工生態礁等の大規模構造物の利用、水生植物の利用等が行われている。
【０００３】
【発明が解決しようとする課題】
従来は、前記の様な生物活用が行われているが、効率的にも、経済的にも、現代社会の汚染速度と容量が、自然の有する環境容量と人工環境容量をはるかに上回り、地球全体にわたって、液体域汚染を原因とした環境破壊が進んでいる。
【０００４】
【課題を解決するための手段】
本発明の目的は、従来、困難であった、液体域場全体を活用した微生物処理環境容量の格段の向上による機能的、経済的効果を、現代社会にマッチしたレベルにまで向上させる液体の浄化方法、即ち、微生物の棲みやすい棲家、摂取し易いエネルギー、摂取しやすい餌、幅広い微生物共存の場作りをする事によって、処理量の大幅向上による蓄積汚染物の分解、食物連鎖のバランスによる環境保全維持が可能な液体の浄化方法を提供することにある。また、本発明は、広範囲で不定形な閉鎖型液体域の使用状態のままでの、生物処理方法に関する改善である。また、全体量の僅かな改質液で、液体域場全体に影響させ、かつ利用した、微生物活用を原点として、食物連鎖をバランスよく最大限に生かした生命場持続の自然浄化を実現するものである。
【０００５】
本発明の特徴は、従来困難であった、微生物が食べやすいような、溶解性有機物に分解する事を、媒体としての液体にそのエネルギーを保持させる事で解決した事である。また、微生物の生理活性を促進させるよう、生命体の代謝作用を活性化する液体に、液体域全体に作用させて改質するエネルギー液体を作り出し転写方法を発明した事である。微生物が住みやすい液体になる様に、コロイドミネラルの液体質浄化作用を発明し、さらにこのエネルギーを補強するために４〜１４μの遠赤外線を組合せた重畳波を発明した事である。これらの組み合わせの相乗効果により課題を解決したものである。
【０００６】
本発明の液体の浄化方法は、遠赤外線放射体に浄化対象液を接触させて、遠赤外線放射体から放射される遠赤外線により当該浄化対象液を改質し、浄化する液体の浄化方法において、遠赤外線放射体として本件発明者が開発したソフトセラミックス、又はそれと本件発明者が先に開発したエンプロとの双方を使用し、ソフトセラミックスは苦土石灰、玄武岩、アルミニウムの微粉末を原料とし、それら原料に液体を加えて泥液体状とし、それに触媒としてＭｇ、Ｍｎ、Ａｌを添加して反応させ、それを乾燥させて微粉末状とし、それを固形化したものとし、エンプロはタンパク質に、少なくともＳｉＯ2、Ａｌ2Ｏ3、Ｆｅ2Ｏ3、Ｋ2Ｏ、及びＮａ2Ｏを含有する無機粉末を配合した混合物の加圧加熱成形体としたものである。本発明で使用するエンプロは次のものであってもよい。タンパク質に、少なくともＳｉＯ2、Ａｌ2Ｏ3、Ｆｅ2Ｏ3、Ｋ2Ｏ、及びＮａ2Ｏを含有する無機粉末を配合し、これに適量の液体又はアルコール液体溶液を加えて混合し、この混合物を所定時間放置した後、必要に応じて粉砕し、次いで、加圧か加熱して成形した後に冷却し、その後に、ホルムアルデヒド液体溶液で処理してタンパク質分を硬化させた後、乾燥し、温液体処理してホルムアルデヒドを除去したもの。本発明では、浄化対象液に遠赤外線放射体を浮遊させ、又は浄化対象液内に沈め、又は吊すことにより、遠赤外線放射体に浄化対象液を接触させ、遠赤外線放射体から放射される遠赤外線により当該浄化対象液を改質し、浄化することができる。この場合、浄化対象液を対流させて遠赤外線放射体に浄化対象液を接触させ、遠赤外線放射体から放射される遠赤外線により当該浄化対象液を改質し、浄化することもできる。本発明では、浄化対象液域から一部の浄化対象液を取り出し、その浄化対象液を遠赤外線放射体に接触させ、遠赤外線放射体から放射される遠赤外線により改質し、その改質液を浄化対象液域の浄化対象液に戻して、浄化対象液域の浄化対象液を改質し、浄化することもできるし、浄化対象液を遠赤外線放射体により改質した改質液に重畳波を掛けることもできる。
【０００７】
【発明の実施の形態】
本発明は遠赤外線放射体を使用して液体を浄化する方法である。本件発明における遠赤外線放射体には、本件発明者が先に開発して既に特許第１９０４０１４号として特許されている遠赤外線放射材（東洋化学株式会社製の商品名「エンプロ」）と、それとは別に本件発明者が先に開発したソフトセラミックスが適する。エンプロには特許第１９０４０１４号の請求項１に記載のものと、請求項２に記載のものとの二つがある。
【０００８】
請求項１に記載の遠赤外線放射材は次の通りのものである。
タンパク質100重量部当たり、ＳｉＯ275〜76重量％、Ａｌ2Ｏ316〜17重量％、Ｆｅ2Ｏ30.5〜1.0重量％、Ｋ2Ｏ2.5〜3.0重量％、及びＮａ2Ｏ0.5〜1.0重量％含有する無機粉末5〜25重量部を配合した混合物の加圧加熱成形体であって、波数600〜2200cm-1の範囲において、ほぼ一定した９５％以上の分光放射率を有する遠赤外線放射材。
【０００９】
請求項２に記載の遠赤外線放射材は次の通りのものである。
タンパク質100 重量部当たり、ＳｉＯ275〜76重量％、Ａｌ2Ｏ316〜17重量％、Ｆｅ2Ｏ30.5〜1.0重量％、Ｋ2Ｏ2.5〜3.0重量％、及びＮａ2Ｏ0.5〜1.0重量％含有する無機粉末5〜25重量部を配合し、これに適量の液体又はアルコール液体溶液を加えて混合し、この混合物を所定時間放置した後、必要に応じて粉砕し、次いで、加圧か加熱して成形し、その後に冷却し、その後に、ホルムアルデヒド液体溶液で処理してタンパク質分を硬化させた後、乾燥し、温液体処理してホルムアルデヒドを除去することを特徴とし、波数600〜2200cm-1の範囲においてほぼ一定した９５％以上の分光放射率を有する遠赤外線放射材。
【００１０】
本件発明におけるソフトセラミックスは本件発明者が開発したものであり、その材料、製法、効能は次の様なものである。
（原料）
苦土石灰、玄武岩、アルミニウムの微粉末
（製法）
１．原料に液体を加えて泥液体状とし、常温で攪拌反応を数日間昼夜行って反応を完了させる。このとき、常温反応させる触媒としてＭｇ、Ｍｎ、Ａｌを使用し、それらを添加剤として作用させる。
２．前記反応が完了した時点で天日乾燥を行い、微粉末状とする。
３．これら微粉末に、必要に応じて、シリコンゴム、又は、ＡＢＳ樹脂を適量入れて均一になるように混練をする。適当な大きさの薄板状に成形して自然放置し、固形化する。固形化したものはパテの様な柔らかさである。
４．前記３の薄板状に固形化した物を、用途に合わせて適当枚数積層し、積層間をシリコンゴムにて接着し、重石を載せて圧着固形化する。このときもパテの様な柔らかさが保持されている。
固化材の材料には、遠赤外線放射波動を出来るだけ透過させる物が選択して使用されている。
（効能）
一般的に鉱物と呼ばれている地殻上部の安山岩等は生体内で触媒の働きをし、生物の成長促進病気予防をする生理活性作用（１）をする。地殻下部の玄武岩等は液体中に分離・浮遊する溶解していない有機物を溶かし込む界面活性作用（２）をする。マントル上部のかんらん岩等は溶け込んでいた物質を分離・沈殿する液体質浄化作用（３）をするといわれている。特に苦土石灰は前記（１）と（３）の作用を有している物を選んで使用し、玄武岩は前記（２）の作用を司っている。ソフトセラミックスは前記作用や効能が効率良く、効果的に、しかも、もとのオリジナル効果が変質することなく発揮されるようにバランスよく配合して、常温反応させてあるため、前記作用や効能により液体が改質される。
【００１１】
本発明の実施例を以下に説明する。この実施例は遠赤外線放射体として前記エンプロとソフトセラミックスを使用してある。この実施形態は次の二つの方法に大別することができる。
１．浄化対象液域の一部の浄化対象液を取り出して改質し、その改質液を浄化対象液域内の浄化対象液に戻して、或は他の箇所の浄化対象液に入れて、それら浄化対象液に転写して浄化する方法。
２．浄化対象液域の浄化対象液を浄化対象液域内で改質して浄化する方法。
【００１２】
本発明の浄化方法の一実施形態である図１の浄化方法は、浄化対象液域内の一部の浄化対象液１を図示されていないポンプにより汲み上げて同液体域の外に取り出し、取り出した浄化対象液１を流して遠赤外線放射材（エンプロ）２とソフトセラミックス３の両者に接触させ、両者から放射される遠赤外線により浄化対象液１を改質し浄化する方法である。改質、浄化された液体は図１に仮想線で示すように、他の浄化対象液域の浄化対象液４に入れるとか、元の浄化対象液域内の浄化対象液１に戻す等して、それら浄化対象液１、４に改質液の効能を転写して浄化することができる。この場合、図２の様にエンプロ２とソフトセラミックス３のいずれか一方を使用することもできる。いずれの場合も浄化対象液の無用有機物の分解を促進させ、微生物の活性化を始めとして、食物連鎖のバランスの維持を保持し、環境保全を図るものである。また、遠赤外線放射体に改質液の極一部分を接触通過させることにより、生命体への生理活性化向上と、生命体のアポトーシス作用（細胞の自己破壊作用) の向上という、全く相反する機能を発揮させることができ、液体中エネルギー場の形成保持の側面効果もある。これら効能は遠赤外線放射体を使用する以下の実施形態でも同じである。また、前記した改質液の転写は以下の実施形態でも同じである。
【００１３】
図３の実施例は図１の浄化径路に混合攪拌機５を設け、それにより、浄化対象液１に、恒PHガスを主体とした空気を混合して攪拌し、その混合攪拌液体を遠赤外線放射材２とソフトセラミックス３の両者により改質し、浄化する方法である。この場合も改質、浄化された液体は、図３に仮想線で示すように、他の浄化対象液域の浄化対象液４に入れるとか、元の浄化対象液域内の浄化対象液１に戻して、それらに改質液の効能を転写して、それら浄化対象液を浄化する。この場合、図４の様に遠赤外線放射材２とソフトセラミックス３のいずれか一方を使用することもできる。いずれの場合も、液体の改質、混入有機物質の液体溶性化、液体自身の均一で活発な微粒子の団粒構造化を図ることができる。
【００１４】
図５の実施例は図１の浄化径路に重畳波発生器６を設け、遠赤外線放射材２とソフトセラミックス３の両者により改質した液体に、重畳波発生器６から発生される重畳波をかけて浄化する方法である。この場合、図６の様に遠赤外線放射材２とソフトセラミックス３のいずれか一方を使用することもできる。いずれの場合も、重畳波の電極に、浄化対象液を一定時間接触させることにより、液体自身の均一で活発な微粒子の団粒構造化促進をより強固にすることができる。
【００１５】
図７の実施例は図１の浄化径路に混合攪拌機５と重畳波発生器６の両者を設けて、混合攪拌機５により浄化対象液１に、恒PHガスを主体とした空気を混合攪拌し、その混合攪拌液体を遠赤外線放射材２とソフトセラミックス３の両者により改質し、その改質液に重畳波発生器６から発生される重畳波をかけて浄化する方法である。この場合、図８の様に遠赤外線放射材２とソフトセラミックス３のいずれか一方を使用することもできる。いずれの場合も、混合攪拌機５を使用する前記実施例の作用、効能と、重畳波発生器６を使用する前記実施例の作用、効能の両者を兼備する。
【００１６】
図９の実施例は、浄化対象液域から一部の浄化対象液を取り出し、その液体に恒PHガスを主体とした空気を混合攪拌機５により混合攪拌し、その液体の一部を脇取りして遠赤外線放射材２とソフトセラミックス３の双方により改質し、改質液を前記混合攪拌前の浄化対象液に戻して同対象液体に転写し、同対象液体を浄化する方法である。この場合も改質され浄化された液体は、図９に仮想線で示すように、他の浄化対象液域の浄化対象液４とか、元の浄化対象液域内の浄化対象液１に入れて転写して、それら液体を浄化することができる。この場合、図１０の様に遠赤外線放射材２とソフトセラミックス３のいずれか一方を使用することもできる。
【００１７】
図１１の実施例は図９の浄化径路における混合攪拌機４の後に、重畳波発生器６を設けて、混合攪拌機５により空気が混合攪拌された浄化対象液に重畳波発生器６から発生される重畳波をかけて更に浄化する方法である。この場合も重畳波発生器６の後の浄化された液体は、図１１に仮想線で示す様に、他の浄化対象液域の浄化対象液４とか、元の浄化対象液域内の浄化対象液１に入れて転写して、それら液体を浄化することができる。この場合、図１２の様に遠赤外線放射材２とソフトセラミックス３のいずれか一方を使用することもできる。
【００１８】
図１３の実施例は図９の浄化径路におけるソフトセラミックス３の後に重畳波発生器６を設けて、遠赤外線放射材２とソフトセラミックス３により改質された改質液に重畳波発生器６から発生される重畳波をかけて更に浄化する方法である。この場合も重畳波発生器６の後の浄化された液体は、図１３に仮想線で示す様に、他の浄化対象液域の浄化対象液４とか、元の浄化対象液域内の浄化対象液１に入れて転写して、それら液体を浄化することができる。
【００１９】
図１４の実施例は図１０の浄化径路における遠赤外線放射材２又はソフトセラミックス３の後に重畳波発生器６を設けて、遠赤外線放射材２とソフトセラミックス３のいずれかにより改質された改質液に重畳波発生器６から発生される重畳波をかけて更に浄化する方法である。この場合も重畳波発生器６の後の浄化された液体は、図１４に仮想線で示す様に、他の浄化対象液域の浄化対象液４とか、元の浄化対象液域内の浄化対象液１に入れて転写して、それら液体を浄化することができる。
【００２０】
図１５の実施例は、浄化対象液域内の浄化対象液１に遠赤外線放射材２とソフトセラミックス３の両者を浮遊させて、両者から放射される遠赤外により浄化対象液１を改質し、浄化する方法である。この場合、浄化対象液域内の浄化対象液にエアーレーター（図示されていない）を設置し、それにより浄化対象液１に緩慢対流を生じさせて、浄化液体全体を均一に、効率的に遠赤外線放射材２とソフトセラミックス３に接触させて効率的に浄化する。また、液体の中に溶解している物質の、加液体分解作用、酸化分解作用を促進させ、微生物の食べ易い液体溶性有機質に改質させ、分解物を効率的にガス化、無機化させる。また、液体そのものを改質し、液体が抱き込んでいた有機物を吐き出させると同時に、液体の粒子の秩序ある規則正しい運動をすることのできる、揃った大きさの粒子とし、微生物の生理活性化を向上させ、液体中のみならず、処理液体域底部の堆積物を対象として、その有機物のガス化、無機化を促進させて、生理活性効果と、液体質浄化効果を得ることができる。この場合も、図１６の様に遠赤外線放射材２とソフトセラミックス３のいずれか一方を浮遊させることができる。また、遠赤外線放射材２とソフトセラミックス３は浄化対象液体中に沈ませたり吊したりすることもできる。
【００２１】
図１７の実施例は浄化対象液域内の浄化対象液１に、遠赤外線放射材２とソフトセラミックス３を設け、更に混合攪拌機５を設けてあり、図１８の実施例は浄化対象液域内の浄化対象液１に、遠赤外線放射材２とソフトセラミックス３のいずれか一方を設け、更に混合攪拌機５を設けたものである。いずれの場合も、恒PHガスを主体とした空気をそれら混合攪拌機５により浄化対象液１に混合し攪拌する方法である。恒PHガスを主体とした空気を混合攪拌することの効能は前記実施例においてそれを混合攪拌する場合と同様である。
【００２２】
図１９の実施例は浄化対象液域内の浄化対象液１に遠赤外線放射材２とソフトセラミックス３を設け、更に重畳波発生器６を設けたものであり、図２０の実施例は浄化対象液域内の遠赤外線放射材２とソフトセラミックス３のいずれか一方を設け、更に浄化対象液１に重畳波発生器６を設けたものである。いずれの場合も浄化対象液１に重畳波発生器６から発生される重畳波をかける方法である。重畳波をかけることの効能は前記実施例において重畳波をかける場合と同様である。
【００２３】
図２１の実施例は浄化対象液域内の浄化対象液１に遠赤外線放射材２とソフトセラミックス３を設け、更に混合攪拌機５と重畳波発生器６を設けたものである。図２２の実施例は浄化対象液域内の浄化対象液１に遠赤外線放射材２とソフトセラミックス３のいずれか一方を設け、更に混合攪拌機５と重畳波発生器６を設けたものである。いずれの場合も混合攪拌機５により恒PHガスを主体とした空気を浄化対象液１に混合して攪拌し、重畳波発生器６から発生される重畳波を浄化対象液１にかける方法である。これらの効能は前記の混合攪拌する場合、重畳波をかける場合と同様である。図１５〜図２３のいずれの場合も、浄化対象液域に対流を生じさせている。
【００２４】
図２３の実施例は浄化対象液域内から一部の浄化対象液１をポンプＰで汲み上げて取り出し、取り出した浄化対象液に空気圧縮機１０から圧縮空気を送り、それを混合攪拌機５により混合攪拌して元の浄化対象液域内の浄化対象液１に戻し、この浄化対象液１の一部を脇取りし、それを遠赤外線放射材２、ソフトセラミックス３の順に通し、更に、重畳波発生器６を通して、ポンプＰの前に戻すようにしたものである。重畳波発生器６は貯留タンク１１に電極棒１２が設置されており、浄化対象液１をその貯留タンク１１を通過させて電極棒１２に接触させるようにしたものであり、これら遠赤外線放射材２、ソフトセラミックス３、重畳波発生器６からの重畳波に改質された液体を、元の浄化対象液域内の浄化対象液１に戻して、改質液の効能を浄化対象液１に転写して、元の浄化対象液域内の浄化対象液１全般を改質、浄化するようにしたものである。図２３の浄化対象液域内には浮体式の遠赤外線放射材２又は浮体式のソフトセラミックス３を浮かせてある。更に対流用エアーレーター８を設けて浄化対象液域を対流させてある。
【００２５】
本発明において遠赤外線放射材２とソフトセラミックス３の双方を用いるときは、いずれを上流に配置してもよい。また、遠赤外線放射材２とソフトセラミックス３の双方を用いるときは、図２４に示す遠赤外線エネルギー液中放射装置を使用すると便利である。これは無機体主体の4〜14μの遠赤外線放射資材（ソフトセラミックス）３と、有機体主体の4〜14μの遠赤外線放射資材（エンプロ）２とを組み合わせ、更に、これらの発生する4〜14μの波動エネルギー水を極微粒子として拡散分布させる為の微細気泡発生装置（混合攪拌機５）を組み込んだ装置である。この放射装置は改質・浄化対象水域に設置して効率的、経済的に浄化対象水を改質又は浄化でき、取扱が簡便で、設置が容易な装置である。この4〜14μの波動エネルギーにより水の中に混入している物質の加水分解作用、酸化分解作用を促進させて、微生物の食べやすい水溶性有機物に改質させ、分解物を効率的に、ガス化、無機化させ浄化作用を行うことができる。また、水そのものに対しては、水の小さな秩序ある規則正しい運動をする、揃った大きさの団粒構造粒子とし、水が抱き込んでいた有機物を吐き出させると同時に、微生物の生理活性化を向上させ、水中のみならず、処理水域底部の堆積物をも対象として、その有機物のガス化、無機化を図り浄化作用を行う。水以外の液体（調味料、アルコール等）に対しても水素結合作用を解除する作用( 液・水クラスターの極小化) 等により、団粒構造化粒子として、液自体の改質を行うものである。
【００２６】
前記無機体主体の4〜14μの遠赤外線放射資材３と、有機体主体の4〜14μの遠赤外線放射資材２とを組み台わせることにより、夫々の単体の相乗効果が発揮され、又装置の簡潔化も図ることができる。これは無機体主体の4〜14μの遠赤外線放射資材は強力な4〜14μの波動エネルギーを発生し、有機体主体の4〜14μの遠赤外線放射資材は微量ずつ溶液の中に溶媒として溶解して、更に、無機体放射エネルギーを抱き込み、改質液、浄化対象液域の液に伝播し．液の浄化、改質作用を行う。更に、その改質液で浄化液域全体の液にその効能を転写し、液の団粒構造化を促進し同時に、そこの無用有機物の分解を促進させ、微生物の活性化を始めとして、食物連鎖のバランスの維持を保持し、環境保全を図ることができる。
【００２７】
また、図２４の放射装置を使用すると、転写作用がより速く、より強力に、液自身の均一で活発な微粒子の団粒構造化が図られるため、微細気泡にて液域全体がミクロ的に極微粒子化がはかられ、マクロ的に攪拌、分布、拡散が行なわれ、効能の即効性、拡大化が図られ、効率と経済性に太きく寄与する。取扱が容易で、装置が小さくて設置費用も少なく、かっ運転管理費用も少なく非常に経済的であり、4〜14μの波動エネルギーなので、二次公害も全くなく、環境保全にも最適である。
【００２８】
本発明で使用されるエンプロの使用量の基準は、例えば農業における水田用では、エンプロ１ｋｇで５００〜３０００ｍ3の水量処理を行う。レンコン畑では１シーズン、水量１０００ｍ3当たりエンプロ１ｋｇ使用する。畜産飲料水用ではエンプロ１ｋｇ当たり畜産飲料水３０００〜７０００ｍ3の水処理量となる。エンプロは使用により消耗し、消耗量は廃水（浄化対象水）の濃度、浄化対象水が入っている液槽の大きさ、液槽内の浄化対象液の流速、温度等の状況により大きく変化するので、それら状況を判断しつつ消耗状況を確認して、補充するのが好ましい。
【００２９】
本発明で使用されるソフトセラミックスの大きさは、液槽の大きさ、浄化対象液の汚れ状況等を考慮して決める。図２３の様に浄化対象液を脇取りし、更にその一部を脇取りする場合は次の様にする。浄化対象液域が河川や湖沼等の場合はポンプで１〜数％の水を脇取りし、その水を更に0.1〜１％脇取りしてソフトセラミックスやエンプロにより改質し、この改質液を元の水に点滴して戻す。浄化速度や大きさ及び循環システムによって変動幅が大きいが、転写値としては１万分の１〜１千万分の１位を目途にするのが適する。
【００３０】
【発明の効果】
本発明は、河川、湖沼、調整池、浄水場の貯水槽、養殖池、海面養殖地、アルコールタンク、調味液タンク、発酵食品タンクといった浄化対象液域を現状の使用状況のまま施工が可能であり、液域全体を浄化の場として活用でき、好転反応期も、コントロ一ル範囲内に調整が可能となる。また、親水場としての効能も加味でき、改質、浄化のための装置が小さくて済み、設置費用が少なく、且つ運転管理費用も少なく、非常に経済的であり、環境保全にも最適であり、バランスの取れた状態で浄化液体域を自然回復することができる。
【図面の簡単な説明】
【図１】  本発明の液体の浄化方法のうち、遠赤外線放射材とソフトセラミックスの双方を用いた実施例を示すフローシートである。
【図２】  本発明の液体の浄化方法のうち、遠赤外線放射材とソフトセラミックスのいずれか一方を用いた実施例を示すフローシートである。
【図３】  本発明の液体の浄化方法のうち、遠赤外線放射材とソフトセラミックスの双方と、混合攪拌機を用いた実施例を示すフローシートである。
【図４】  本発明の液体の浄化方法のうち、遠赤外線放射材とソフトセラミックスのいずれか一方と混合攪拌機を用いた実施例を示すフローシートである。
【図５】  本発明の液体の浄化方法のうち、遠赤外線放射材とソフトセラミックスの双方と、重畳波発生器を用いた実施例を示すフローシートである。
【図６】  本発明の液体の浄化方法のうち、遠赤外線放射材とソフトセラミックスのいずれか一方と重畳波発生器を用いた実施例を示すフローシートである。
【図７】  本発明の液体の浄化方法のうち、遠赤外線放射材とソフトセラミックスの双方と、重畳波発生器と混合攪拌機を用いた実施例を示すフローシートである。
【図８】  本発明の液体の浄化方法のうち、遠赤外線放射材とソフトセラミックスのいずれか一方と重畳波発生器と混合攪拌機を用いた実施例を示すフローシートである。
【図９】  本発明の液体の浄化方法のうち、混合攪拌機の後から脇取りした浄化対象液を遠赤外線放射材とソフトセラミックスの双方により改質、浄化する実施例を示すフローシートである。
【図１０】  本発明の液体の浄化方法のうち、混合攪拌機の後から脇取りした浄化対象液を遠赤外線放射材とソフトセラミックスのいずれか一方により改質、浄化する実施例を示すフローシートである。
【図１１】  本発明の液体の浄化方法のうち、混合攪拌機の後から脇取りした浄化対象液を遠赤外線放射材とソフトセラミックスの双方により改質、浄化し、更に重畳波をかける実施例を示すフローシートである。
【図１２】  本発明の液体の浄化方法のうち、混合攪拌機の後から脇取りした浄化対象液を遠赤外線放射材とソフトセラミックスのいずれか一方により改質、浄化し、更に重畳波をかける実施例を示すフローシートである。
【図１３】  本発明の液体の浄化方法のうち、混合攪拌機の後から脇取りした浄化対象液を遠赤外線放射材とソフトセラミックスの双方により改質、浄化し、重畳波をかけてから戻す実施例を示すフローシートである。
【図１４】  本発明の液体の浄化方法のうち、混合攪拌機の後から脇取りした浄化対象液を遠赤外線放射材とソフトセラミックスのいずれか一方により改質、浄化し、更に重畳波をかけてから戻す実施例を示すフローシートである。
【図１５】  本発明の液体の浄化方法のうち、浄化対象液域の浄化対象液に遠赤外線放射材とソフトセラミックスの双方を浮遊させ、浄化対象液を滞留させる実施例を示すフローシートである。
【図１６】  本発明の液体の浄化方法のうち、浄化対象液域の浄化対象液に遠赤外線放射材とソフトセラミックスのいずれか一方を浮遊させ、浄化対象液を対流させる実施例を示すフローシートである。
【図１７】  本発明の液体の浄化方法のうち、浄化対象液域の浄化対象液に遠赤外線放射材とソフトセラミックスの双方を浮遊させ、浄化対象液を対流させ、更に混合攪拌機を設けた実施例を示すフローシートである。
【図１８】  本発明の液体の浄化方法のうち、浄化対象液域の浄化対象液に遠赤外線放射材とソフトセラミックスのいずれか一方を浮遊させ、浄化対象液を対流させ、更に混合攪拌機を設けた実施例を示すフローシートである。
【図１９】  本発明の液体の浄化方法のうち、浄化対象液域の浄化対象液に遠赤外線放射材とソフトセラミックスの双方を浮遊させ、浄化対象液を対流させ、更に重畳波発生器を設けた実施例を示すフローシートである。
【図２０】  本発明の液体の浄化方法のうち、浄化対象液域の浄化対象液に遠赤外線放射材とソフトセラミックスのいずれか一方を浮遊させ、浄化対象液を対流させ、更に重畳波発生器を設けた実施例を示すフローシートである。
【図２１】  本発明の液体の浄化方法のうち、浄化対象液域の浄化対象液に遠赤外線放射材とソフトセラミックスの双方を浮遊させ、浄化対象液を対流させ、更に混合攪拌機と重畳波発生器を設けた実施例を示すフローシートである。
【図２２】  本発明の液体の浄化方法のうち、浄化対象液域の浄化対象液に遠赤外線放射材とソフトセラミックスのいずれか一方を浮遊させ、浄化対象液を対流させ、更に混合攪拌機と重畳波発生器を設けた実施例を示すフローシートである。
【図２３】  本発明の液体の浄化方法の他の実施例を示すフローシートである。
【図２４】  本発明の液体の浄化方法に使用するのに適する遠赤外線エネルギー液中放射器の一例である。
【符号の説明】
１  浄化対象液
２  遠赤外線放射材
３  ソフトセラミックス
４  他の液体域の浄化対象液
５  混合攪拌機
６  重畳波発生器
１０  空気圧縮機
１１  貯留タンク
１２  電極棒
【図１】
0003658294.tif 000002
【図２】
0003658294.tif 000003
【図３】
0003658294.tif 000004
【図４】
0003658294.tif 000005
【図５】
0003658294.tif 000006
【図６】
0003658294.tif 000007
【図７】
0003658294.tif 000008
【図８】
0003658294.tif 000009
【図９】
0003658294.tif 000010
【図１０】
0003658294.tif 000011
【図１１】
0003658294.tif 000012
【図１２】
0003658294.tif 000013
【図１３】
0003658294.tif 000014
【図１４】
0003658294.tif 000015
【図１５】
0003658294.tif 000016
【図１６】
0003658294.tif 000017
【図１７】
0003658294.tif 000018
【図１８】
0003658294.tif 000019
【図１９】
0003658294.tif 000020
【図２０】
0003658294.tif 000021
【図２１】
0003658294.tif 000022
【図２２】
0003658294.tif 000023
【図２３】
0003658294.tif 000024
【図２４】
0003658294.tif 000025